(57)【要約】【課題】水道配管内部で生じている漏水を簡単に検知できる漏水を検知する方法を提供する。【解決手段】水道配管ＷＰに取り付けられた蛇口４ｂに圧力ゲージ９を取り付け、圧力ゲージ９のエア抜きを行い、水道配管ＷＰの元栓２を閉栓した後に、蛇口４ｂを開栓し、圧力ゲージ９の圧力表示によって漏水を検知する。【選択図】図１
2009192242.tif 000002
【特許請求の範囲】
【請求項１】
水道配管に取り付けられた蛇口に圧力ゲージを取り付け、圧力ゲージのエア抜きを行ない、水道配管の元栓を閉栓した後に、蛇口を開栓し、圧力ゲージの圧力表示によって漏水を検知するようにした水道配管における漏水検知方法。
【請求項２】
水道配管に漏水検知用アダプターを取り付け、このアダプターを介して水道配管に圧力ゲージを取り付け、圧力ゲージのエア抜きを行なった後、水道配管の元栓を閉栓し、圧力ゲージの圧力表示によって漏水を検知するようにした水道配管における漏水検知方法。
【請求項３】
漏水検知作業後に、前記漏水検知用アダプターを水道配管から取り外し、この水道配管に蛇口を取り付けるようにした請求項１又は２に記載の水道配管における漏水検知方法。
【請求項４】
漏水検知作業を行なわない状態では、前記漏水検知用アダプターの先端部をねじ栓で閉栓すると共に、これを被覆する袋ナットを取り付けるようにする請求項１〜３の何れかに記載の水道配管における漏水検知方法。
【発明の詳細な説明】
【技術分野】
【０００１】
本発明は、家庭用水道配管や事業所用水道配管における漏水を検知する方法に関するものである。
【背景技術】
【０００２】
従来、戸建て住宅やマンション等の家庭用水道配管では、元栓を有する主給水管とこれより分岐した複数の分岐給水管とが配管されている。このような家庭用水道配管において、例えば水道局による定期的な水道メーターの検針により、当月の水道使用量が平均月の使用量より著しく高くなったことを知ったような場合に、水道設備の異常に気付くことがあるが、これが直ちに水道配管内の漏水であるとは判明できない。即ち、従来では、そのような水道配管において配管の途中で実際に漏水が生じていても、これを室内側で漏水を検知する方法が無かった。
【発明の開示】
【発明が解決しようとする課題】
【０００３】
本発明は、水道配管の途中で生じている漏水を分岐給水管先端部の蛇口等で簡単に検知できる漏水検知方法を提供することを目的とする。
【課題を解決するための手段】
【０００４】
上記課題を解決するための手段を、後述する実施形態の参照符号を付して説明すると、請求項１に係る発明の水道配管における漏水検知方法は、例えば図１に示すように、水道配管ＷＰに取り付けられた蛇口４ｂに圧力ゲージ９を取り付け、圧力ゲージ９のエア抜きを行い、水道配管ＷＰの元栓２を閉栓した後に、蛇口４ｂを開栓し、圧力ゲージ９の圧力表示によって漏水を検知するようにしたことを特徴とする。
【０００５】
請求項２に係る発明の水道配管における漏水検知方法は、例えば図４に示すように、水道配管ＷＰに漏水検知用アダプター１６を取り付け、このアダプター１６を介して水道配管ＷＰに圧力ゲージ９を取り付け、圧力ゲージ９のエア抜きを行った後、水道配管ＷＰの元栓２を閉栓し、圧力ゲージ９の圧力表示によって漏水を検知するようにしたことを特徴とする。
【０００６】
請求項３は、請求項１又は２に記載の水道配管における漏水検知方法において、漏水検知作業後に、前記漏水検知用アダプター１６を水道配管ＷＰから取り外し、この水道配管ＷＰに蛇口４ｃを取り付けるようにしたことを特徴とする。
【０００７】
請求項４は、請求項２又は３に記載の水道配管における漏水検知方法において、漏水検知作業を行なわない状態では、前記漏水検知用アダプター１６の先端部をねじ栓２３で閉栓すると共に、これを被覆する袋ナット２０を取り付けるようにしたことを特徴としている。
【発明の効果】
【０００８】
上記解決手段による発明の効果を、後述する実施形態の参照符号を付して説明すると、請求項１に係る発明によれば、水道配管ＷＰに取り付けられた蛇口４ｂに圧力ゲージ９を取り付け、圧力ゲージ９のエア抜きを行ない、水道配管ＷＰの元栓２を閉栓した後に、蛇口４ｂを開栓し、圧力ゲージ９の圧力表示によって漏水を検知する方法であるから、水道配管ＷＰ内部で生じている漏水を配管ＷＰ先端の蛇口４ｂで簡単且つ容易に検知することができ、それによって直ちに漏水対策を講じることができる。この場合、蛇口４ｂに圧力ゲージ９を取り付けた後、エア抜きを行うので、圧力ゲージ９による正確な圧力測定ができて、漏水状態を確実に把握できる。
【０００９】
請求項２に係る発明によれば、水道配管ＷＰに漏水検知用アダプター１６を取り付け、このアダプター１６を介して水道配管ＷＰに圧力ゲージ９を取り付け、圧力ゲージ９のエア抜きを行なった後、水道配管ＷＰの元栓２を閉栓し、圧力ゲージ９の圧力表示によって漏水を検知する方法であるから、水道配管ＷＰに蛇口４ｂが取り付けられていない状態においても、その水道配管ＷＰ内部の漏水の検知を簡単容易に行なうことができる。
【００１０】
請求項３に記載のように、漏水検知作業後に、漏水検知用アダプター１６を水道配管ＷＰから取り外し、この水道配管ＷＰに蛇口４ｂを取り付けることによって、漏水検知後直ちに水道の使用が可能となる。
【００１１】
請求項４に記載のように、漏水検知作業を行なわない状態では、前記漏水検知用アダプター１６の先端部をねじ栓２３で閉栓し、更にこれを被覆する袋ナット２０を取り付けるようにすれば、水道配管ＷＰの先端部を確実に閉塞できると共にそれを保護することができて、水漏れを起こすことがなく、且つ当該先端部を損傷するようなことがない。
【発明を実施するための最良の形態】
【００１２】
以下に本発明の好適な一実施形態を図面に基づいて説明すると、図１は例えば建物の一定区画Ｓ内に配管された水道配管ＷＰを示す。この水道配管ＷＰは、元栓２を有する主給水管１と、この主給水管１から分岐して配管された複数の分岐給水管３ａ，３ｂ，３ｃ，３ｄとによって構成され、これらの分岐給水管３ａ，３ｂ，３ｃ，３ｄの先端部には夫々蛇口４ａ，４ｂ，４ｃ，４ｄが取り付けられている。
【００１３】
図２の（Ａ）及び（Ｂ）は、図１に示す水道配管ＷＰの分岐給水管３ａ，３ｂ，３ｃ，３ｄのうち例えば分岐給水管３ｂの先端部に取り付けられた蛇口４ｂを利用して漏水を検知する方法を示している。この蛇口４ｂには、（Ａ）に示すようにボデー５の先端部に雄ねじ部６が形成され、この雄ねじ部６に通常は吐出パイプ７の自在ナット８が螺合されている。（Ｂ）は、ボデー５の先端部から吐出パイプ７を取り外して、圧力ゲージ９を取り付けた状態を示しており、この圧力ゲージ９の構造は図３に詳細に示す。
【００１４】
圧力ゲージ９は、図３の（Ａ）から分かるように、目盛Ｍ及び指針Ｈを有するゲージ本体１０とゲージ本体取付部１１とからなるもので、ゲージ本体取付部１１にはゲージ本体１０側の首部Ｎに螺嵌される胴部１２に、分岐給水管３ｂ側に形成されている雄ねじ部６に螺合する連結用ナット１３と、分岐給水管３ｂへの取付時にゲージ本体取付部１１の内部ないし分岐給水管３ｂの先端部内に溜まったエアを排出させるためのエア抜き弁１４とが設けられている。
【００１５】
エア抜き弁１４は、図３の（Ｂ）に示すように、ゲージ本体取付部１１の胴部１２にその内部流路１２ａと連通するように半径方向に設けたねじ孔１４ｂと、このねじ孔１４ｂに螺入される弁本体１４ａと、ねじ孔１４ｂの開口端部に嵌合される気密用のＯリング１４ｃとからなるもので、常時はＯリング１４ｃを介して弁本体１４ａをねじ孔１４ｂに螺入して締め付け状態にしておき、そしてエア抜き時に弁本体１４ａを緩めることによって内部の加圧水によって内部エアを排出するようになっている。尚、図３の（Ａ）において、１５は連結用ナット１３の内部に挿入されたパッキンである。
【００１６】
上記のような圧力ゲージ９の使用による漏水の検出方法について説明すると、先ず、図１に示す水道配管ＷＰにおいて、分岐給水管３ａ，３ｂ，３ｃ，３ｄの夫々先端部に取り付けられている蛇口４ａ，４ｂ，４ｃ，４ｄを閉栓した状態で何れか１つの分岐管、例えば分岐給水管３ｂの蛇口４ｂに圧力ゲージ９を取り付ける。この圧力ゲージ９の取り付けにあたっては、図２の（Ａ）及び（Ｂ）に示すように、自在ナット８を緩めて吐出パイプ７を取り外した後、蛇口４ｂのボデー５の雄ねじ部６にゲージ本体取付部１１の連結用ナット１３を螺合する。
【００１７】
こうして分岐給水管３ｂの先端部に圧力ゲージ９を取り付けた後、エア抜きを行なう。即ち、この圧力ゲージ９の取付時には、蛇口４ｂの先端側及び圧力ゲージ９の内部にエアが入っているから、このエアを抜いてしまわないと、圧力ゲージ９による正確な圧力検出ができない。しかして、このエア抜きにあたっては、エア抜き弁１４の弁本体１４ａを緩めた状態で蛇口４ｂを開栓すれば、ねじ孔１４ｂから水が噴出するから、この状態で弁本体１４ａを閉めることにより、その噴出水によって内部エアを排出させる。
【００１８】
こうしてエア抜きを行なった後、主給水管１の元栓２を閉栓し、しかる後に蛇口４ｂを開栓すると、水道配管ＷＰ内に漏水が生じていない場合には、圧力ゲージ９の指針Ｈが正常時の圧力である２〜３kgf/cm2 を指し示すが、水道配管ＷＰ内の何処かでで漏水が生じている場合には、蛇口４ｂを開栓すれば、圧力ゲージ９の指針Ｈがゼロ値側へ振って、水道配管ＷＰ内の水圧低下を示し、これによって漏水を確認することができる。
【００１９】
図４は、図１と同じ水道配管ＷＰを示したものであるが、ここでは、建物が未完成の状態にあって分岐給水管３ａ，３ｂ，３ｃ，３ｄの先端部には蛇口４ａ，４ｂ，４ｃ，４ｄが取り付けられておらず、このような状態で水道配管ＷＰの漏水を検知する方法を示す。この場合には、分岐給水管３ａ，３ｂ，３ｃ，３ｄの夫々の先端部が適当なねじ栓で閉栓されているから、所要の１つの分岐給水管、例えば分岐給水管３ｃのねじ栓を取り外して、代わりに漏水検知用アダプター１６を取り付け、このアダプター１６に圧力ゲージ９を取り付ける。そして、この圧力ゲージ９のエア抜きを行なった後、図２の場合と同様に、主給水管１の元栓２を閉栓し、圧力ゲージ９の圧力表示により水道配管ＷＰ内で漏水しているか否かを検知する。
【００２０】
漏水検知用アダプター１６は、図５の（Ａ）に示すように、管状本体１７の一端部外周面に、各分岐給水管３ａ，３ｂ，３ｃ，３ｄの先端部に形成された雌ねじ部１８に螺合する第１雄ねじ部２１を形成し、管状本体１７の他端部外周面には、袋ナット２０あるいは圧力ゲージ９の連結用ナット１３が螺合する第２雄ねじ部２２を形成し、更にこの第２雄ねじ部２２の内側に、閉栓用のねじ栓２３が螺合する雌ねじ２４を形成してなるもので、第１雄ねじ部２１の内端部にはＯリング２５が取り付けられ、また雌ねじ２４の内端部にはＯリング２６が取り付けられる。このアダプター１６は、通常は、図５の（Ｂ）に示すようにねじ栓２３及び袋ナット２０を管状本体１７に取り付けた状態となっている。
【００２１】
この漏水検知用アダプター１６の取付けにあたっては、図５の（Ｂ）に示すように、管状本体１７の第１雄ねじ部２１を分岐給水管３ｃの雌ねじ部１８に螺合するだけでよい。そして、同図（Ｂ）に示す状態から袋ナット２０を外し、且つねじ栓２３を外した後、管状本体１７の第２雄ねじ部２２に圧力ゲージ９の連結用ナット１３を螺合して、同図の（Ｃ）に示す状態とし、この状態で漏水検知作業を行なう。尚、漏水検知用アダプター１６を分岐給水管３ｃに取り付ける際には、主給水管１の元栓２を閉めて、分岐給水管３ｃの先端部から水を排出した後にアダプター１６を取り付けるようにするとよい。
【００２２】
しかして、漏水検知作業が終われば、漏水検知用アダプター１６を分岐給水管３ｃから取り外し、この分岐給水管３ｃに蛇口４ｃを取り付けて図６に示すような状態とする。この蛇口４ｃの取付けにあたっては、同図に示すように蛇口４ｃのボデー５に設けてある取付用雄ねじ管部５ａを分岐給水管３ｃの雌ねじ部１８に螺合すればよい。
【００２３】
上記のように漏水検知用アダプター１６を分岐給水管３ｃから取り外して蛇口４ｃを取り付けるようにせず、漏水検知作業終了後もアダプター１６を分岐給水管３ｃに取り付けたままにしておいてもよい。その場合には、アダプター１６の管状本体１７の先端側雌ねじ２４にねじ栓２３を螺合し、更にこの管状本体１７の先端側の第２雄ねじ部２２に袋ナット２０を螺合して管状本体１７の先端部を二重に閉栓することにより、分岐給水管３ｃの先端部を確実に閉塞できて、水漏れを起こすようなことがなく、また管状本体１７の第２雄ねじ部２２を損傷することがない。また漏水検知終了後に、全ての分岐給水管３ａ，３ｂ，３ｃ，３ｄの先端部に漏水検知用アダプター１６を取り付けておいてもよい。
【００２４】
尚、図５（Ａ）〜（Ｃ）に示すように、漏水検知用アダプター１６の管状本体１７には、水圧試験用の水圧ホースをつなぐプラグ孔２７が設けてあって、通常は図示のようにねじ栓２８によって閉塞されている。このプラグ孔２７は、後日に水道配管ＷＰの水圧試験を行なう際に、水圧ホースの先端プラグをねじ込むための孔である。
【図面の簡単な説明】
【００２５】
【図１】水道配管の一例を示す平面図である。
【図２】（Ａ）は分岐給水管先端部の蛇口から吐出パイプを外している状態を示す説明図、（Ｂ）は吐出パイプを外したボデーの先端部に圧力ゲージを取り付けた状態を示す説明図である。
【図３】（Ａ）は本発明に係る漏水検知方法に使用する圧力ゲージの示す一部断面正面図、（Ｂ）は圧力ゲージの一部分解図である。
【図４】水道配管の他の例を示す平面図である。
【図５】漏水検知用アダプターの構造及びその取付状態を示し、（Ａ）はアダプター、ねじ栓及び袋ナットを示す断面図、（Ｂ）は同アダプターを分岐給水管に取り付けた状態を示す断面図、（Ｃ）は同アダプターに圧力ゲージを取り付けた状態示す断面図である。
【図６】分岐給水管からアダプターを外して、蛇口を取り付けた状態示す説明図である。
【符号の説明】
【００２６】
１                          主給水管
２                          元栓
３ａ，３ｂ，３ｃ，３ｄ      分岐給水管
４ａ，４ｂ，４ｃ，４ｄ      蛇口
９                          圧力ゲージ
１０                        ゲージ本体
１１                        ゲージ本体取付部
１３                        連結用ナット
１４                        エア抜き弁
１６                        漏水検知用アダプター
２０                        袋ナット
２３                        ねじ栓
【図１】
2009192242.tif 000003
【図２】
2009192242.tif 000004
【図３】
2009192242.tif 000005
【図４】
2009192242.tif 000006
【図５】
2009192242.tif 000007
【図６】
2009192242.tif 000008